(57)【特許請求の範囲】
【請求項１】
エレベータ利用者がセキュリティゲートを通って乗場側へ移動するセキュリティゲート付き行先階制御システムにおいて、
前記セキュリティゲート前の近傍に設置され、ＩＤカードのＩＤ情報からエレベータ利用者を認証後、行先階指定ボタンの操作のもとに前記ＩＤ情報を含む行先階指定データを送信し、群管理制御部から割当て号機データを受け取って案内表示するゲート側行先階登録装置と、
前記乗場側に設置され、前記認証によって開錠された前記セキュリティゲートを通って乗場へ移動中に前記表示された割当て号機を忘れたとき、前記エレベータ利用者が所持する前記ＩＤカードからＩＤ情報を読み取って送信し、前記群管理制御部から割当て号機のデータを受け取って案内表示する乗場側登録装置とを備え、
前記群管理制御部は、
前記ゲート側行先階登録装置からの前記ＩＤ情報を含む行先階指定データを受けて号機を割当てた後、当該ＩＤ情報と割当て号機を対応付けて記憶し、かつ割当て号機のデータを前記ゲート側行先階登録装置に送信するゲート側応答手段と、前記乗場側登録装置からの前記ＩＤ情報を受けて既に記憶される当該ＩＤ情報と対応付けられた前記割当て号機のデータを前記乗場側登録装置に送信する乗場側応答手段とを有し、
前記群管理制御部の乗場側応答手段は、前記乗場側登録装置から前記ＩＤ情報を受けると、当該ＩＤ情報に基づいて既に対応付け記憶されたＩＤ情報と割当て号機との関係から割当て号機を検索した後、この検索された割当て号機が停止か否かを判断し、停止中で無ければ最割当て処理を行って再割当て号機を決定する割当て号機検索手段と、前記検索された割当て号機または再割当て号機に関する号機文字データを読み出すための号機番号データまたは当該号機文字データを前記乗場側登録装置に送信し表示させる乗場前割当て号機案内手段とを設けたことを特徴とするセキュリティゲート付き行先階制御システム。
【請求項２】
前記乗場側登録装置は、音声発生手段が設けられ、前記割当て号機の案内表示とともに、当該音声発生手段から乗車前に当該割当て号機への乗車を音声にて案内することを特徴とする請求項１に記載のセキュリティゲート付き行先階制御システム。
【請求項３】
前記ゲート側行先階登録装置は、正当なエレベータ利用者のＩＤ情報を記憶する認証データ記憶手段と、カード読取手段と、行先階指定ボタンと、表示部と、データ処理制御部とを備え、
前記データ処理制御部は、前記カード読取手段で読み取るエレベータ利用者の所持する前記ＩＤカードのＩＤ情報と前記認証データ記憶手段に記憶される登録ＩＤ情報とを比較し、正当なエレベータ利用者と認証したとき、前記セキュリティゲートを開錠する認証処理手段と、前記行先階指定ボタンが操作されたとき、その操作位置から行先階指定データを前記ＩＤ情報とともに、前記群管理制御部に送信する行先階データ送信手段と、当該群管理制御部から行先階指定データのもとに決定された割当て号機のデータを受信し、割当て号機のデータを前記表示部に案内表示する割当て号機案内表示手段とを設けたことを特徴とする請求項１に記載のセキュリティゲート付き行先階制御システム。
【請求項４】
前記群管理制御部のゲート側応答手段は、前記ゲート側行先階登録装置から前記ＩＤ情報を含む行先階指定データを受けると、未割当ての全号機の評価計算を行って最適な号機を割当てるとともに、前記ＩＤ情報と該割当て号機とを対応付けて記憶する号機割当て処理手段と、この号機割当て処理手段で割当てた割り当て号機の号機文字データを読み出すための号機番号又は当該号機文字データを前記ゲート側行先階登録装置に送信し表示させるゲート前割当て号機案内手段とを設けたことを特徴とする請求項１に記載のセキュリティゲート付き行先階制御システム。
【発明の詳細な説明】
【技術分野】
【０００１】
本発明の実施の形態は、セキュリティゲート付き行先階制御システムに関する。
【背景技術】
【０００２】
一般のエレベータは、各階の乗場に乗場呼びボタンが設置され、エレベータ利用者が乗場呼びボタンを操作したとき、乗場呼び登録のもとにエレベータが乗場呼び階に移動して着床する。ここで、利用者は、乗りかごに乗り込んだ後、かご操作盤の行先階呼びボタンを操作すると、かご呼びに基づく行先階への呼び登録が行われる。
【０００３】
ところで、近年、乗場から直接行先階を指定できる行先階登録装置が設置され、エレベータ利用者が乗りかご内に乗り込んで行先階を登録する手間を省く群管理システムが実用化されている。
【０００４】
この群管理システムは、ＤＣＳ（Ｄestination  Ｃontrol  Ｓystem：行先階予約）群管理（以下、行先階制御システム）と呼ばれ、乗場で指定された行先階ごとの利用者をまとめ、乗りかごが基準階から出発して停止回数を抑制しつつ基準階に帰着することで一往復の時間を短縮し、輸送能力の向上や待ち時間の改善を図っている。
【０００５】
この行先階制御システムでは、エレベータ利用者が基準階等の乗場で行先階登録装置を操作して行先階を指定すると、群管理制御部が複数のエレベータ号機の中から最適なエレベータ号機を割当て、当該エレベータ号機に対応する操作階の乗場ドア上部の号機表示装置に割当て号機を案内表示するものが実用化されている。
【０００６】
さらに、建物出入口フロアとエレベータの基準階乗場（エレベータホール）がセキュリティゲートで区分され、常時はセキュリティゲートが閉じ、エレベータ利用者がセキュリティゲート前に設置された個人認証機能付き行先階登録装置で正当な居住者あるいは正当な会社員であると認証されたとき、当該行先階登録装置の行先階指定ボタンを操作すると、行先階指定データが伝送され、かつ、セキュリティゲートの開錠によって、エレベータ利用者がエレベータ号機の乗場に移動できるようなセキュリティゲート付き行先階制御システムが開発されている。
【先行技術文献】
【特許文献】
【０００７】
【特許文献１】特開２００９−２９２６０４号公報
【特許文献１】特開２００９−１１３９７１号公報
【発明の概要】
【発明が解決しようとする課題】
【０００８】
しかし、以上のようなセキュリティゲート付き行先階制御システムでは、利用者がセキュリティゲート前にある行先階登録装置で行先階ボタンを操作すると、群管理制御部が乗車するエレベータ号機を選定し当該行先階登録装置の表示部に割当て号機を表示指示する。そこで、利用者は、その表示指示に従い、セキュリティゲートを通って割当て号機前に移動する。
【０００９】
ところが、利用者がセキュリティゲートを通って割当て号機前に移動する間に割当て号機を忘れてしまうことが有る。
【００１０】
このように利用者が割当て号機を忘れた場合、乗場側ではその割当て号機を確認することができない。その結果、利用者が改めて乗場前で乗場操作パネルや行先階登録装置にて行先階を再登録する必要がある。
【００１１】
利用者が余計な行先階操作を繰り返しだけでなく、群管理制御部への行先階乗場呼びが重複して発生することから、群管理制御の効率が悪くなる問題がある。
【００１２】
そこで、本セキュリティゲート付き行先階制御システムは、移動する際に割当て号機を忘れた場合でも容易に確認でき、利用者の誤乗車をなくして群管理制御の効率を高めることにある。
【課題を解決するための手段】
【００１３】
上記課題を解決するために、発明の実施形態によれば、エレベータ利用者がセキュリティゲートを通って乗場側へ移動するセキュリティゲート付き行先階制御システムであって、前記セキュリティゲート前の近傍に設置され、ＩＤカードのＩＤ情報からエレベータ利用者を認証後、行先階指定ボタンの操作のもとに前記ＩＤ情報を含む行先階指定データを送信し、群管理制御部から割当て号機データを受け取って案内表示するゲート側行先階登録装置と、前記乗場側に設置され、前記認証によって開錠された前記セキュリティゲートを通って乗場へ移動中に前記表示された割当て号機を忘れたとき、前記エレベータ利用者が所持する前記ＩＤカードからＩＤ情報を読み取って送信し、前記群管理制御部から割当て号機のデータを受け取って案内表示する乗場側登録装置とを備え、前記群管理制御部は、前記ゲート側行先階登録装置からの前記ＩＤ情報を含む行先階指定データを受けて号機を割当てた後、当該ＩＤ情報と割当て号機を対応付けて記憶し、かつ割当て号機のデータを前記ゲート側行先階登録装置に送信するゲート側応答手段と、前記乗場側登録装置からの前記ＩＤ情報を受けて既に記憶される当該ＩＤ情報と対応付けられた前記割当て号機のデータを前記乗場側登録装置に送信する乗場側応答手段とを有し、前記群管理制御部の乗場側応答手段は、前記乗場側登録装置から前記ＩＤ情報を受けると、当該ＩＤ情報に基づいて既に対応付け記憶されたＩＤ情報と割当て号機との関係から割当て号機を検索した後、この検索された割当て号機が停止か否かを判断し、停止中で無ければ最割当て処理を行って再割当て号機を決定する割当て号機検索手段と、前記検索された割当て号機または再割当て号機に関する号機文字データを読み出すための号機番号データまたは当該号機文字データを前記乗場側登録装置に送信し表示させる乗場前割当て号機案内手段とを設けたセキュリティゲート付き行先階制御システムである。
【図面の簡単な説明】
【００１４】
【図１】実施形態に係るキュリティゲート付き行先階制御システムの全体構成を示す図。
【図２】図１に示すゲート側行先階登録装置の正面パネル側の概略外観図。
【図３】ゲート側行先階登録装置内部の概略構成図。
【図４】ゲート側行先階登録装置の認証データ記憶部に記憶されるデータの一例図。
【図５】ゲート側行先階登録装置の機能構成図。
【図６】図１に示す群管理制御部の機能構成及びデータベースのデータ配列例図。
【図７】図１に示すゲート側行先階登録装置の処理手順を示すフロー図。
【図８】ゲート側行先階登録装置及び乗場側登録装置と群管理制御部とのデータのやり取りを概略的に説明する図。
【図９】ゲート側行先階登録装置から送信される情報に対する群管理制御部のゲート側応答処理の手順を説明するフロー図。
【図１０】乗場側登録装置から送信される情報に対する群管理制御部の乗場側応答処理の手順を説明するフロー図。
【発明を実施するための形態】
【００１５】
以下、実施形態について、図面を参照して説明する。  
図１は一実施形態に係るセキュリティゲート付き行先階制御システムを示す全体構成図である。
【００１６】
先ず、この種の高層建物では、建物出入口フロア１側と基準階のエレベータ乗場（エレベータホール）２との間に、セキュリティを確保するために電子錠３付きのセキュリティゲート４を備えた仕切壁５が設けられ、当該セキュリティゲート４前には行先階登録装置１１が設置されている。６はゲート開駆動制御部である。
【００１７】
すなわち、この実施形態に係るセキュリティゲート付き行先階制御システムとしては、セキュリティゲート４前に設置されるゲート側行先階登録装置１１と、エレベータ乗場２側に設置される例えば２台の乗場側登録装置１２ａ，１２ｂと、乗場側伝送装置１３と、プログラムデータ記憶部１４と、群管理制御部１５と、データベース１６と、かご側伝送装置１７と、各号機制御装置１８Ａ〜１８Ｄと、Ａ号機〜Ｄ号機の乗りかご１９Ａ〜１９Ｄとを含む構成である。
【００１８】
２１Ａ〜２１Ｄは各Ａ号機〜Ｄ号機対応の乗場ドア、２２Ａ〜２２Ｄは号機表示部（ホームランタン）、２３Ａ〜２３Ｄは乗場操作パネルである。なお、乗場操作パネル２３Ａ〜２３Ｄは無くてもよい。
【００１９】
また、乗場側登録装置１２ａ，１２ｂは、基準階だけでなく、他の着床階にも必要に応じて随時設置されるものである。
【００２０】
ゲート側行先階登録装置１１は、図２に示すように正面パネル面に少なくともカード読取部３１、行先階指定ボタン３２及び表示部３３が設けられ、内部的には例えば図３に示すような構成となっている。
【００２１】
すなわち、ゲート側行先階登録装置１１は、乗場側伝送装置１３との間で所定のデータを授受する伝送部３４、エレベータ利用者が所持する例えばＩＤカード３５に記憶されるＩＤ番号（個人識別情報）を読み取るカード読取部３１、データ記憶部３６、ＣＰＵで構成されるデータ処理制御部３７、タッチパネル制御部３８、表示制御部３９が設けられている。
【００２２】
データ記憶部３６には、例えば行先階指定ボタン３２の操作位置と行先階指定データとの関係を規定する行先階データ記憶部３６ａ、図４に示すようにエレベータ利用者が所持するＩＤカード３５の例えばＩＤ番号，建物を利用する居住者（会社員を含む）の氏名の他、必要に応じて利用階を規定する認証データ記憶部３６ｂ、号機番号ごとに表示データ，例えば割当てＡ号機〜Ｄ号機に対応する「Ａ」〜「Ｄ」の表示データを記憶する表示データ記憶部３６ｃその他カード読取りデータを記憶する部分が設けられている。
【００２３】
タッチパネル制御部３８には行先階指定ボタン３２を構成するタッチパネルスイッチ部３２ａが接続される。表示制御部３９には表示部３３が接続される。
【００２４】
行先階指定ボタン３２は、例えば行先階指定ボタン３２の配列枠内４１に多数のタッチパネルスイッチ部（スイッチ電極）３２ａがマトリックス状に配列され、行先階指定ボタン３２がタッチ操作されたとき、タッチパネル制御部３８は、その操作された行と列のタッチ操作位置を認識し、データ処理制御部３７に送出する。
【００２５】
なお、タッチパネル制御部３８は、タッチパネルスイッチ部３２ａが発光素子で構成されている場合、タッチ指定位置を認識し、対応する行先階指定ボタン３２を点灯表示することも可能である。
【００２６】
データ処理制御部３７は、図５に示すように認証処理手段３７Ａ、行先階データ送信手段３７Ｂ及び割当て号機案内表示手段３７Ｃが設けられている。認証処理手段３７Ａは、カード読取部３１で読み取ったＩＤ番号と認証データ記憶部３６ｂに登録されるＩＤ番号とを比較し、正当なエレベータ利用者を認証し、ゲート開駆動制御部６に対して電子錠３の開制御指令を送出する。
【００２７】
行先階データ送信手段３７Ｂは、タッチパネル制御部３８から受け取るタッチ操作位置に基づいて、行先階データ記憶部３６ａから行先階指定データを読み出し、前記ＩＤ番号データとともに群管理制御部１５側に送信する。
【００２８】
割当て号機案内表示手段３７Ｃは、群管理制御部１５側から号機番号を受け取ると、表示データ記憶部３６ｃから割当て号機の例えばＡ号機番号に対応する例えば「Ａ」の表示データを検索し、表示部３３に表示する。
【００２９】
乗場側登録装置１２ａ，１２ｂは、ゲート側行先階登録装置１１とほぼ同様な構成を有しているが、特に異なるところは、エレベータ利用者がゲート４前にて既にゲート側行先階登録装置１１の表示部３３に表示される割当て号機を見ているが、乗場２への移動中に既に割当てた割当て号機を忘れた場合の対処機能を備えたものである。具体的には、既に号機の割当てを受けたエレベータ利用者が乗場２の乗場側登録装置１２ａ，１２ｂに近づいたとき、あるいはカード挿入口にＩＤカード３５を挿入したとき、ＩＤカード３５からＩＤ番号を読取って群管理制御部１５側に送信し、当該群管理制御部１５から既にＩＤ番号に対応付けて記憶されている割当て号機を読取り、該当する号機番号を乗場側登録装置１２ａ，１２ｂに送信してくるので、その例えばＡ号機番号に対応する例えば「Ａ」を表示する機能を有する。
【００３０】
従って、乗場側登録装置１２ａ，１２ｂとしては、ゲート側行先階登録装置１１の構成の中から図５に示す認証処理手段３７Ａを削除したものでもよい。また、ゲート側行先階登録装置１１の行先階データ送信手段３７ＢはＩＤ番号だけを送ることになる。
【００３１】
プログラムデータ記憶部１４には、少なくとも行先階指定データを受けたとき、最適なエレベータ号機を選択するための群管理制御用プログラムが格納されている。
【００３２】
群管理制御部１５は、ＣＰＵによって構成され、機能的には図６に示すように、号機割当て処理手段１５Ａ、ゲート前割当て号機案内手段１５Ｂ、割当て号機検索手段１５Ｃ及び乗場前号機応答手段１５Ｄが設けられている。なお、号機割当て処理手段１５Ａ及びゲート前割当て号機案内手段１５Ｂは、ゲート側行先階登録装置１１からの要求に対する群管理制御部１５のゲート側応答手段としての役割を果たし、また、割当て号機検索手段１５Ｃ及び乗場前号機応答手段１５Ｄは、乗場側登録装置１２ａ，１２ｂからの要求に対する群管理制御部１５の乗場側応答手段としての役割を果たす。
【００３３】
すなわち、号機割当て処理手段１５Ａは、ゲート側行先階登録装置１１から行先階指定ボタン３２の操作による行先階指定を受けたとき、群管理制御用プログラムに基づいて例えば複数のエレベータ号機の中から所定の評価計算のもとに最適なエレベータ号機を選択決定する機能を有する。
【００３４】
ゲート前割当て号機案内手段１５Ｂは、号機割当て処理手段１５Ａで決定された割当て号機をゲート側行先階登録装置１１の表示部３３に案内表示させる機能を有する。
【００３５】
割当て号機検索手段１５Ｃは、乗場側登録装置例えば１２ａからの割当て号機の問合せに対して、号機割当て処理手段１５Ａにて既にＩＤ番号のもとに記憶された割当て号機を検索する機能を有する。
【００３６】
乗場前号機応答手段１５Ｄは、割当て号機検索手段１５Ｃで検索された割当て号機を乗場側登録装置の表示部に案内表示する機能を有する。
【００３７】
データベース１６には、少なくともＩＤ番号を含む行先階指定データを記憶する行先階データ記憶部１７ａ、号機割当て処理手段１５Ａにて特定の行先階に割当てられた割当て号機を記憶する号機割当てテーブル１６ｂ、案内表示データ記憶部１６ｃ及び運行状況データ記憶部１６ｄを備える。
【００３８】
案内表示データ記憶部１６ｃには割当てＡ号機〜Ｄ号機に相当する「Ａ」〜「Ｄ」の表示データを選択させるための号機番号データを記憶する。運行状況データ記憶部１６ｄには各号機制御装置１８Ａ，１８Ｂ，１８Ｃ，１８Ｄから伝送されてくる各エレベータ号機の現在位置を含む運行状況データを記憶する。
【００３９】
次に、以上のような本セキュリティゲート付き行先階制御システムの作用について、図７ないし図１０を参照して説明する。
【００４０】
（１）  エレベータ利用者による行先階の登録処理について（図７参照）。
【００４１】
エレベータ利用者は、ゲート側行先階登録装置１１に近づき、所持しているＩＤカード３５を近づけるか、カード挿入口等に挿入すると、データ処理制御部３７は認証処理手段３７Ａを実行する。
【００４２】
すなわち、認証処理手段３７Ａは、ＩＤカード３５のＩＤ番号を読み取ると（Ｓ１１）、その読み取ったＩＤ番号と認証データ記憶部３６ｂに登録されているＩＤ番号とを比較し（Ｓ１２）、一致する登録済みＩＤ番号があれば、正当なエレベータ利用者であると認証し（Ｓ１３）、ゲート開駆動制御部６にゲート開制御指令を送出する（Ｓ１４）。
【００４３】
ゲート開駆動制御部６は、ゲート開制御指令を受けると、電子錠３を開錠し、セキュリティゲート４を開放できるようにする。
【００４４】
ここで、エレベータ利用者は、ゲート側行先階登録装置１１の行先階指定ボタン３２をタッチ操作すると、タッチパネル制御部３８がタッチパネルスイッチ部３２ａを通してタッチ操作位置を検出し、データ処理制御部３７に送出する。
【００４５】
データ処理制御部３７では、ゲート開制御指令を出力した後、タッチパネル制御部３８からタッチ操作位置信号を受け取っていない場合（Ｓ１５）、所定時間にわたってゲート開制御状態を継続するが、所定時間経過しても未だタッチ操作位置信号を受け取っていない場合にはゲート閉制御指令を出力し（Ｓ１６，Ｓ１７）、ステップＳ１１に戻る。
【００４６】
一方、データ処理制御部３７は、タッチパネルスイッチ部３２ａからタッチ操作位置信号を受け取ると（Ｓ１５）、行先階データ送信手段３７Ｂを実行する。
【００４７】
行先階データ送信手段３７Ｂは、タッチ操作位置信号を受け取ると、行先階データ記憶部３６ａからタッチ操作位置に対応する行先階指定データを読み出し、ＩＤ番号とともに乗場側伝送装置１３を介して群管理制御部１５に伝送する（図８（イ）参照，Ｓ１８）。
【００４８】
群管理制御部１５は、ＩＤ番号とともに行先階指定データを受信すると、号機割当て処理手段１５Ａを実行し、最適な割当て号機を決定するが、号機決定の詳しい説明は後記する。
【００４９】
群管理制御部１５は、割当て号機を決定すると、データベース１６の案内表示データ記憶部１７ｃから割当て号機，例えばＡ号機に相当する「Ａ」表示データを選択させるための号機番号データを読み出し、乗場側伝送装置１３を介してゲート側行先階登録装置１１に送信する。
【００５０】
ゲート側行先階登録装置１１は、群管理制御部１５から号機番号を受け取ると（Ｓ１９）、割当て号機案内表示手段３７Ｃを実行する。割当て号機案内表示手段３７Ｃは、群管理制御部１５から号機番号を受け取ると（Ｓ１９）、表示データ記憶部３６ｃから当該号機番号に対応する例えば「Ａ」なる表示データを読み出し、ゲート側行先階登録装置１１の表示部３３に案内表示する（Ｓ２０）。
【００５１】
従って、ゲート側行先階登録装置１１の行先階指定ボタン３２をタッチ操作した利用者は、表示部３３に表示される「Ａ」からＡ号機が割当てられたことを認識し、セキュリティゲート４を開けて号機表示部２２Ａに表示されるＡ号機の到着場所近くに移動する。
【００５２】
（２）  群管理制御部１５による号機割当て処理について（図９参照）。
【００５３】
群管理制御部１５は、前述する（１）項で説明したように、ゲート側行先階登録装置１１からＩＤ番号・行先階指定データを受信すると（Ｓ３１）、号機割当て処理手段１５Ａを実行する。
【００５４】
号機割当て処理手段１５Ａは、群管理制御用プログラムに従って、各号機に対する評価値を計算する（Ｓ３２）。
【００５５】
ここで、評価値の評価関数（評価項目）としては、種々考えられるが、例えば各号機の応答予測時間、停止階の抑制、各号機の乗車人数、かご内荷重（例えば上昇・下降時の効率運転）、長待ち呼びの有無（長待ち時間の短縮）等が挙げられる。
【００５６】
そして、全号機１９Ａ〜１９Ｄの評価計算を行った後（Ｓ３２〜Ｓ３４）、最適な評価値と判断された割当て号機（例えば１９Ａ）を決定すると（Ｓ３５）、例えば号機割当てテーブル１６ｂにＩＤ番号と行先階の割当て号機とを対応付けて記憶するとともに（図８（ロ）参照、Ｓ３６）、割当て号機対応の号機制御装置１８Ａに対して、行先階指定データに基づく行先階への割当てたことを通知する（Ｓ３７）。
【００５７】
さらに、群管理制御部１５は、ゲート前割当て号機案内手段１５Ｂを実行する。この、ゲート前割当て号機案内手段１５Ｂは、行先階の割当て号機が決定される、表示データ記憶部１６ｃから割当て号機と対応関係にある号機番号データを読み出し、乗場側伝送装置１３を介してゲート側行先階登録装置１１に伝送する（図８（ハ）参照、Ｓ３８）、前記（１）項で説明したようにゲート側行先階登録装置１１の表示部３３に案内表示する（Ｓ２０）。
【００５８】
（３）  エレベータ利用者が割当て号機を忘れた場合の対処処理について。
【００５９】
エレベータ利用者が建物出入口フロア１からエレベータ乗場２の割当て号機へ移動中に前記群管理制御部１５で割当てた割当て号機を忘れてしまうことがある。
【００６０】
このとき、従来は乗場前行先階登録装置で再度行先階ボタンをタッチ操作することになるが、本発明システムにおいては、乗場側登録装置例えば１２ａにＩＤカード３５を近づけるか、あるいは挿入口に挿入することで、当該ＩＤカード３５に登録されるＩＤ番号を読取り、群管理制御部１５に送信する（図８（ニ）参照）。
【００６１】
（４）  割当て号機の再案内表示処理について（図１０参照）。
【００６２】
群管理制御部１５は、乗場側登録装置例えば１２ａからＩＤ番号を受信すると、割当て号機検索手段１５Ｃを実行する。割当て号機検索手段１６Ｃは、ＩＤ番号を受信すると（Ｓ４１）、当該ＩＤ番号に基づき例えば号機割当てテーブル１６ｂから既に同一ＩＤ番号で割当てられている割当て号機を検索する（Ｓ４２）。
【００６３】
しかる後、割当て号機検索手段１５Ｃは、各号機制御装置１８Ａ〜１８Ｄから送られてくる運行状況データを記憶する運行状況データ記憶部１６ｄから運行状況データを判断し、既割当て号機が現在基準階に停止しているか否かを判断する（Ｓ４３）。基準階に停止していない場合には基準階から移動したことになるので、再割当処理を行い（Ｓ４４…Ｓ３２〜Ｓ３５に相当する処理）、再割当て号機が決定し、対応する号機制御装置例えば１８Ｂに通知する（Ｓ４５）。
【００６４】
群管理制御部１５は、ステップＳ４３において既に割当てた割当て号機または再決定された再割当て号機を取得すると、乗場側割当て号機案内手段１５Ｄを実行する。乗場側割当て号機案内手段１５Ｄは、データベース１６の案内表示データ記憶部１６ｃから既割当て号機，例えばＡ号機に相当する「Ａ」表示データまたは再割当て号機，例えばＢ号機に相当する「Ｂ」表示データを選択するための号機番号データを読み出し、乗場側伝送装置１３を介して乗場側登録装置１２ａに伝送する（図８（ホ）参照）。
【００６５】
乗場側登録装置１２ａは、群管理制御部１５から号機番号を受け取ると、表示データ記憶部３６ｃから当該号機番号に対応する例えば「Ａ」なる表示データを読み出し、表示部に案内表示する（Ｓ４６）。
【００６６】
従って、以上のような実施形態によれば、割当て号機を忘れたエレベータ利用者は、乗場側登録装置１２ａの表示部に既割当て号機または該当号機の移動による再割り当て号機が案内表示されるので、乗場前で既に割当てた割当て号機を忘れても容易に再確認することができ、よって、誤乗車を防ぐことができ、群管理制御の効率を下げることなくサービスを提供することができる。
【００６７】
（その他の実施形態）
（１）  上記実施形態では、乗場側登録装置１２ａ，１２ｂに例えば既割当て号機を案内表示したが、例えば音声発生器を設け、乗車前に再度割当て号機を音声にてアナウンスすることにより、利用者の誤乗車を防ぐようにしてもよい。
【００６８】
（２）  上記実施の形態では、案内表示データ記憶部１６ｃに案内表示用の号機番号データに対応する号機文字データ例えば「Ａ」〜「Ｄ」を記憶し、群管理制御部１５から送信されてくる号機番号から号機文字データを読み出して表示するようにしたが、例えば群管理制御部１５から直接号機文字データを送信し、ゲート側行先階登録装置１１や乗場側登録装置１２ａ，１２ｂに送信して表示させる構成であってもよい。
【００６９】
（３）  なお、上記実施形態は、一例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
１…建物出入口フロア、２…乗場、３…電子錠、４…セキュリティゲート、６…ゲート開駆動制御部、１１…ゲート側行先階登録装置、１２ａ，１２ｂ…乗場側登録装置、１３…乗場側伝送装置、１５…群管理制御部、１５Ａ…号機割当て処理手段、１５Ｂ…ゲート前割当て号機案内手段、１５Ｃ…割当て号機検索手段、１５Ｄ…乗場前号機応答手段、１６…データベース、１８Ａ〜１８Ｄ…号機制御装置、１９Ａ〜１９Ｄ…Ａ号機〜Ｄ号機の乗りかご、３１…カード読取部、３２…行先階指定ボタン、３３…表示部、３５…ＩＤカード、３６…データ記憶部、３７…データ処理制御部、３７Ａ…認証処理手段、３７Ｂ…行先階データ送信手段、３７Ｃ…割当て号機案内表示手段。
【図１】
0005714362.tif 000002
【図２】
0005714362.tif 000003
【図３】
0005714362.tif 000004
【図４】
0005714362.tif 000005
【図５】
0005714362.tif 000006
【図６】
0005714362.tif 000007
【図７】
0005714362.tif 000008
【図８】
0005714362.tif 000009
【図９】
0005714362.tif 000010
【図１０】
0005714362.tif 000011